(57)【要約】      （修正有）【課題】ネットの上部の部分で庭の小石、土砂やゴミ、蚊の侵入を防止し、ネットの下部の部分でトユや他の配水管から流れてくる落ち葉などのゴミや土砂を取り込んで排水管を詰まらせずに、一括して回収することができる、枡・会所の蚊、ゴミ、御用！ネットを提供する。【解決方法】建物の外部にある雨水の枡や会所の中に入れて、上蓋の上面の端に巻き込んだり、上蓋の側面や下辺に挟んだり、敷いたりして取付けるメッシュ状の網袋１であり、網布を二つ折りにして、側面、及び表と裏面においては両側面の上から３分の１の位置から中央の３分の１〜２分の１の位置まで、Ｖ字状に、糸、接着剤、又は熱で接合し、輪ゴム１１で外から絞って、上部と下部の２つの網袋に分ける。【選択図】図１
0003200020.tif 000002
【実用新案登録請求の範囲】
【請求項１】
建物の外部にある雨水の枡や会所の中に入れて、上蓋の上面の端に巻き込んだり、上蓋の側面や下辺に挟んだり、敷いたりして取付ける網袋であり、枡や会所の中に入れるメッシュ状の網袋の上辺は枡会所の上蓋の丸形、四角形に対応出来て、蚊が入らないメッシュ状の網であり、網布を二つ折りにして、その側面、及び底辺と上辺の両側面から下へ３分の１から中央の３ぶんの１〜２分の１の位置に、Ｖ字状に網袋の表と裏面を糸で縫い合わせたり、接着剤で接着したり、熱で圧着したりして、上部と下部の網袋にしたことを特徴とした、枡・会所の蚊、ゴミ、御用！ネット。
【請求項２】
網袋はそのままの袋状であり、施工時に網袋の上辺から３分の１〜２分の１あたりに幅広の輪ゴム１〜３個や数個の細い輪ゴムで外から網袋を絞って止めて、上部と下部に分けたことを特徴とした、枡・会所の蚊、ゴミ、御用！ネット。
【請求項３】
枡や会所の中へ配水管の先端が伸びてきてない場合は、使用されている既存の配水管の直径と同じ、又は大き目のＵ字状の軒ドユを１０〜２０ｃｍの寸法に切断して、それを既存の配水管に差し込むことにより、補助の差し込み配水管をつくり、新たな配水管を作り、網袋の側面の切り込み部分を入れることが出来ることを特徴とする、請求項１、請求項２記載の、枡・会所の蚊、ゴミ、御用！ネット。
【請求項４】
枡や会所の中へ配水管の先端が伸びてきていない場合、使用されている既存の配水管の直径と同じ新規の配水管や、同じ形状でいろいろな材質で作った配水管を１０〜１５ｃｍ前後の寸法に切断して、その半分の上側だけをカットして、補助の差し込み配水管を作り、既存の配水管にカットした部分の長い方を上にして差し込むことにより、新たに配水管が枡・会所の中に伸びた形になり、網袋の側面の切り込み部分を入れることができる、新たな補助の差し込み配水管を特徴とする、請求項１、請求項２の記載の、枡・会所の、蚊、ゴミ、御用！ネット。
【考案の詳細な説明】
【技術分野】
【０００１】建物の外部にある雨水用の枡や会所に関するものである。
【背景技術】
【０００２】枡や会所に入る落葉などのゴミや庭の小石や蚊の進入を防止する装置は存在しないが、消費者が自分の意志で網を加工して、排水管の入口に立てかけたり、会所の蓋の下に網を敷いたりしてゴミや、小石、蚊の進入を防止したりする。
【先行技術文献】
【０００３】１８〜２４メッシュ状の網を切断して、枡や会所の中の排水管の入口に立てかけたり、丸めたりして置き、ゴミや小石などの侵入を防ぐ。また、上記のメッシュ状の網を上蓋の下に置き、上蓋の取手の穴や隙間から入る落葉、小石や蚊の侵入を防止する。以上、商品としては存在しないが、消費者が自分の意志で網を加工して施工する。
【考案の概要】
【０００４】建物の雨水用の枡や会所において、落葉などのゴミと庭の小石や土砂などが入ることと、蚊の侵入とは別々の防止方法となるが、本考案はメッシュ状の網袋の上部で庭のゴミ、小石、土砂や蚊の侵入を防止して、網袋の下部で落葉などのゴミを回収して、排水管の詰まりを防止するために一体化した、枡・会所の蚊、ゴミ、御用！ネット。
【考案が解決しようとする課題】
【０００５】雨水の枡や会所へはトユや他の配水管から水と共にいろいろなゴミや土砂が流れてくる。庭の小石や土砂などのゴミが上蓋の穴や隙間から枡や会所の中へ入ってきてたまる。１〜２年に１回は上蓋を開けて清掃をしなければならないが、面倒で汚れる仕事である。また、枡や会所の中の底辺に近い下段の横の排水管が詰まれば高圧洗浄をしたり、排水管を掘り起こして交換工事などの別途の労力と費用がかかる。【０００６】雨水の枡や会所の下段の横への排水管は底より少し上の位置にある。そのために底辺には常に水が溜まっている場合が多い。蚊が入り、ボーフラを生み、蚊が発生する場所の一つになっている。蚊の一種はデング熱やマラリヤなど多くの病気を媒介する。蚊が発生するのを防がなければならない。
【課題を解決するための手段】
【０００７】本考案は枡や会所の上蓋の上辺の端に下よりかぶせたり、上蓋の側面と枡や会所の上蓋の受け面に挟んだり、敷いたりして固定をするメッシュ状の網袋であり、少し伸び縮みできる材質で作り、上蓋の形が正方形、丸形の大きさにも寸法を変えたり、大きい寸法で丸形などの小さい寸法の上蓋に対応できるように網袋の上辺の端をたぐって２重にしたりして、柔軟に対応出来る網袋である。【０００８】本考案の網袋は住宅の網戸などに使用しているメッシュ１８〜２４のポリプロピレン、ポリオレイン、ポリエチレン、ポリエステル、ＥＶＡ樹脂などの樹脂製や蚊帳などに使用する布製や麻製などでつくり、一枚のメッシュ状の網布を半分に折ってその両端を糸で縫いつけたり、接着したり、熱圧着したりして筒状にし、更に筒状の底辺部を糸で縫い付けたり、接着したり、熱圧着したりする。加えて、網袋の上辺より下へ、網袋の両サイド３分の１あたりから中央部分２分の１近くにＶ字状に縫合したり、接着したり、熱圧着したりする。また、簡単な施工にするために、袋状のままで枡、会所に入れて網袋の上辺から下へ３分の１あたりを幅広の輪ゴムで結ぶことにより、蚊や庭の小石の侵入を防ぐ網袋をつくる。【０００９】枡や会所の中にある配水管の出ている径を網袋に差し込むために、トユなどから出ている配水管の位置に合わせて、網袋の側面に切れ目をハサミやナイフで入れる。配水管は現場により位置がいろいろと異なるために本考案を施工する人が配水管の位置をみて、十字状やペケ字状に配水管の直径よりやや大きめの網袋の側面にカットをして切れ目を入れる。切れ目を開いて配水管の先端部分に差し込んで、網袋の内側より網面の切れ目の端を配水管の径に数個の細い輪ゴムや幅広の輪ゴムの１〜３個により取り付けて固定する。輪ゴムで固定する方法は作業も早く、コストも安い。
【実施例１】枡や会所の中へトユなどの配水管の先端が出ている場合は網袋の側面に切れ目を入れて、その切れ目を開いて配水管の先端の径に入れて輪ゴムで止めて固定する。
【実施例２】枡や会所の中へ配水管の先端が出ておらず、いわゆる、配水管の側面にツライチになっている場合には次の方法で対応する。
▲１▼  軒トユに使用する半円形のトユは薄くて、両端をつかんで中に折るとバネ状になっているために、１０〜２０ｃｍの長さにカットして、配水管にＵ字状に差し込んで止めることができるために新たな補助の差し込み配水管ができて、網袋の切れ目を入れることが出来る。この方法はコストも安く、作業が簡単である。
▲２▼  同じ直径の寸法の配水管やいろいろな材質で作った管を１０〜２０ｃｍに切断し
0003200020.tif 000003
管をつくり、水平にカットした径の長い方を上にして、既存の配水管へ挿入する。それにより、新たな補助の差し込み配水管の先端部分が出来て、網袋の側面の切れ目を開いて差し込むことができる。
【図面の簡単な説明】
【００１０】
【図１】  正面図  ▲１▼網袋の両側面の上辺から３分の１より、中央部分の３分の１〜２分の１へＶ字状に縫合、接着、圧着して上部と下部を分けた図  ▲２▼網袋の上辺より３分の１〜２分の１あたりの部分に輪ゴムで止めて上部と下部を分けた図
【図２】  側面図  ▲１▼網袋の両側面の上辺から３分の１より、中央部分の３分の１〜２分の１へＶ字状に縫合、接着、圧着して上部と下部を分けた図  ▲２▼網袋の上辺より３分の１〜２分の１あたりの部分に輪ゴムで止めて上部と下部を分けた図
【図３】  上からの図  ▲１▼網袋の両側面の上辺から３分の１より、中央部分の３分の１〜２分の１へＶ字状に縫合、接着、圧着して上部と下部を分けた図  ▲２▼網袋の上辺より３分の１〜２分の１あたりの部分に輪ゴムで止めて上部と下部に分けた図
【図４】  会所へセットをした図  ▲１▼網袋の両側面の上辺から３分の１より、中央部分の３分の１〜２分の１へＶ字状に縫合、接着、圧着して上部と下部を分けた図  ▲２▼網袋の上辺より３分の１〜２分の１あたりの部分に輪ゴムで止めて上部と下部を分けた図
【図５】  配水管が会所に入って来ている図
【図６】  配水管が会所に入って来てない図
【図７】  配水管に網袋の切れ目を入れて輪ゴムで止めた図
【図８】  会所の上蓋の側面に網袋の上辺を当てた図
【図９】  半円形型の補助の差し込み配水管図、▲１▼正面図  ▲２▼側面図  ▲３▼全体図
【図１０】  丸型の補助の差し込み配水管図  ▲１▼正面図  ▲２▼側面図  ▲３▼全体図
【図１１】  補助の差し込み配水管を既存の配水管に入れた図  （１）半円形型の補助の差し込み配水管  ▲１▼正面図  ▲２▼側面図  ▲３▼全体図  （２）丸型の補助の差し込み配水管  ▲１▼正面図  ▲２▼側面図  ▲３▼全体図
【符号の説明】
【００１１】▲１▼メッシュ状の網袋
▲２▼枡、会所
▲３▼枡、会所の上蓋
▲４▼枡、会所の上蓋の穴
▲５▼網袋の上辺
▲６▼網袋の下辺
▲７▼網袋を熱圧着したり、糸で縫合したり、接着したりした部分
▲８▼丸形の補助の差し込み配水管
▲９▼半円形の補助の差し込み配水管
▲１０▼水たまり
▲１１▼輪ゴム
▲１２▼切れ目を入れた部分
▲１３▼配水管
▲１４▼排水管
【考案を実施するための最良の形態】
【００１２】枡や会所はいろいろな大きさがある。市販では通常、小、中、大、特大と４種類があり、一般家庭は大（蓋サイズ３３０ｍｍ角型）と（蓋サイズ直径、３２０〜３３０ｍｍ丸型）である。枡や会所の上蓋の寸法に合わせた上面の網や、やや大きい寸法の上面の網をつくり、下部は枡や会所の内部に合わせた寸法や、やや大き目の寸法の網袋とする。【００１３】枡や会所の中に入ってきている配水管の先端部分に、網袋の側面に切れ目を開いて差し込む。枡や会所には下記の▲１▼、▲２▼、▲３▼、の３種類の配水管が入ってきている。水やゴミが入ってくる配水管は枡や会所の中段近くであり、水が出ていく排水管は底に近い下段である。
▲１▼  枡や会所の４側面のうち、１側面にトユなどの配水管が有り、下段の１側面に排水管がある。
▲２▼  枡や会所の４側面のうち、２側面にトユなどの配水管があり、下段の１側面に排水管がある。
▲３▼  枡や会所の４側面のうち、３側面にトユなどの配水管があり、下段の１側面に排水管がある。
一方、枡や会所の中へトユなどの配水管の先端が出ていない場合は［０００９］の［実施例２］の▲１▼、又は▲２▼の補助の差し込み配水管をつくり、既存の配水管に差し込んで、網袋の側面の切れ目の部分を入れる。【００１４】枡や会所の上蓋への網袋の取り付け方は上蓋を開けて、枡や会所の上蓋の上辺や側面に網袋の上辺の端が来るようにして、上蓋の端に下から巻き込んだり、側面に挟んだり、上蓋の受け面に敷いたりして上蓋に取り付ける。コンクリートの会所の上蓋は重いので一方の上蓋の端は会所の端に置いたままで、一方を斜めに半開きにして傾けながら作業して上蓋を閉じる。【００１５】網袋の形により、施工方法は異なる。
（１）網袋の途中に縫合、接着、圧着などの加工をしていない場合、
▲１▼  枡や会所の上蓋を開いて横に置き、網袋の下辺を下にして枡、会所の中へ入れる。
▲２▼  枡や会所の中に出ている配水管の直径より大き目にナイフやハサミで配水管の位置にある網袋の側面をペケ字状や十字状に切断する。
▲３▼  切断した網袋の部分を配水管の先端より入れ込む。網袋の中より網の切れ端を水道管に幅広の輪ゴム１〜３個や細い輪ゴム数個で止める。この場合下の位置にある排水管はそのままで切れ目を入れない。
▲４▼  網袋の上辺から２分の１〜３分の１のところに網袋の上から輪ゴムで強くしばって上より蚊、庭の小石、土砂が入るのを防ぐ。
▲５▼  網袋の上辺の端を枡、会所の四角、丸型の側面に合わせて上蓋を閉じる。
上蓋と同じ寸法の網袋で対応するが寸法が足らない時は網袋の上辺に縦に切れ目を入れて対応する。一方、寸法が長い場合は網袋の上辺を手繰って二重にして上蓋の下へ折り、上蓋を閉じる。
▲６▼  網袋の上辺が上蓋の上面に幅広く出ていると見苦しいので、再度上蓋を上げて網袋を下へ引っ張り、上蓋の側面に来るように調整をする。
（２）  網袋の両側面の上辺から３分の１より、中央部分の３分の１〜２分の１へＶ字状に縫合、接着、圧着している網袋の場合
▲１▼  Ｖ字状の下の部分に網袋の表側の左半分、網袋の裏側の左半分に横や斜めに網袋の半分の側面に切れ目を入れる。これは切れ目から手を入れて配水管に輪ゴムを入れて接続するためである。
▲２▼  上蓋を開ける
▲３▼  網袋の下辺を下にして枡・会所の中に入れる。
▲４▼  網袋の下部の側面に排水管の位置にペケ字状や十字状にナイフやハサミで切れ目を入れて、切り目を入れたところより、手を入れて配水管に差し込み、幅広の輪ゴム１〜３個や数個の輪ゴムで配水管の径に止める。
▲５▼  あとの作業は、［００１５］の（１）の▲５▼と▲６▼とする。
【産業上の利用可能性】
【００１６】ゴミなどが原因で雨水の枡や会所の詰まり、特に横への排水管の詰まりは  専門業者にとっても大変厄介で面倒な作業であって、別途に工事費がかかる。更に、水のある場所は蚊が発生する。夏の蚊は人々を悩まし、蚊の一種はデング熱やマラリヤなどの病気を媒介する。本考案はこの二つの問題点を防止して、その解消を図ることを目的とした。
本考案の網袋を取り付けて、交換するだけという、一般の人にも簡単な作業であり手を汚さずにできる、健全で快適な生活を送るために寄与する装置である。
【図１】
0003200020.tif 000004
【図２】
0003200020.tif 000005
【図３】
0003200020.tif 000006
【図４】
0003200020.tif 000007
【図５】
0003200020.tif 000008
【図６】
0003200020.tif 000009
【図７】
0003200020.tif 000010
【図８】
0003200020.tif 000011
【図９】
0003200020.tif 000012
【図１０】
0003200020.tif 000013
【図１１】
0003200020.tif 000014